【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
関心組織のための温熱療法熱計画を生成するステップと、
前記関心組織のための温熱療法適応放射線療法計画を生成するステップと、
前記温熱療法熱計画に従って前記関心組織に熱を送達するように熱源を制御するステップと、
前記温熱療法適応放射線療法計画に従って前記関心組織に放射線を送達するように放射線療法システムの放射線源を制御するステップと
を有する、方法であって、
前記熱は前記放射線の送達の前に前記関心組織に送達され、
前記熱が前記温熱療法熱計画に従って前記関心組織に送達される前に、
非温熱療法放射線療法計画を作成するステップと、
前記非温熱療法放射線療法計画を適応することによって前記温熱療法適応放射線療法計画を生成するステップと
を更に有する、
方法。
【請求項２】
前記関心組織の温度及び前記熱送達の持続時間を監視するステップと、
前記関心組織の前記温度及び前記熱送達の前記持続時間に基づいて、前記非温熱療法放射線療法計画を適応することによって前記温熱療法適応放射線療法計画を生成するステップと
を更に有する、請求項１に記載の方法。
【請求項３】
前記関心組織の前記監視される温度及び前記熱送達の前記持続時間に基づいて熱増感比を決定するステップと、
前記熱増感比及び前記関心組織に基づいて前記非温熱療法放射線療法計画を適応することによって前記温熱療法適応放射線療法計画を生成するステップと
を更に有する、請求項２に記載の方法。
【請求項４】
前記温熱療法適応放射線療法計画を生成するステップは、前記温熱増感比によって前記関心組織の前記非温熱療法放射線療法計画の放射線量値をスケーリングするステップを含む、請求項３に記載の方法。
【請求項５】
前記関心組織の温度及び前記熱送達の持続時間を監視するステップと、
前記関心組織の前記温度及び前記熱送達の前記持続時間に基づいて、前記温熱療法適応放射線療法計画を生成するステップと
を更に有する、請求項１に記載の方法。
【請求項６】
前記関心組織の前記温度及び前記熱送達の前記持続時間に基づいて熱増感比を決定するステップと、
前記熱増感比及び前記関心組織に基づいて、前記温熱療法適応放射線療法計画を生成するステップと
を更に有する、請求項５に記載の方法。
【請求項７】
前記熱と前記放射線とが同時に送達される、請求項1に記載の方法。
【請求項８】
前記関心組織のための前記温熱療法適応放射線療法計画を生成する前に、
非温熱療法放射線療法計画を作成するステップと、
前記温熱療法熱計画における熱送達の計画される温度及び計画される持続時間に基づいて熱増感比を決定するステップと、
前記熱増感比及び前記関心組織に基づいて前記非温熱療法放射線療法計画を適応することによって前記温熱療法適応放射線療法計画を生成するステップと
を更に有する、請求項７に記載の方法。
【請求項９】
前記関心組織の温度及び熱送達中の前記熱送達の持続時間を監視するステップと、
前記監視される温度と前記計画される温度とを比較するステップと、
前記監視される温度と前記計画される温度との間の偏差に基づいて、送達されるHTパターンを決定するステップと、
前記送達されるHTパターンに基づいて第2の熱増感比を決定するステップと、
前記第2の熱増感比及び前記関心組織に基づいて第2の温熱療法適応放射線療法計画を生成するステップと、
前記第2の温熱療法熱計画に従って前記関心組織に熱を送達するように前記熱源を制御するステップと、
前記第2の温熱療法適応放射線療法計画に従って前記関心組織に放射線を送達するように放射線療法システムの前記放射線源を制御するステップと
を更に有する、請求項８に記載の方法。
【請求項１０】
関心組織のための温熱療法熱計画を生成する前に、
非温熱療法放射線療法計画を作成するステップと、
前記非温熱療法放射線療法計画に従って前記関心組織に放射線を送達するように前記放射線療法システムの前記放射線源を制御するステップと、
前記関心組織の動きを監視するステップと、
前記関心組織に適用される放射線量を監視するステップと、
前記非温熱療法放射線療法計画で計画される線量から逸脱する前記適用される放射線量に応じて前記関心組織のための前記温熱療法熱計画を生成するステップと、
前記温熱療法熱計画に従って前記関心組織に熱を送達するように前記熱源を制御するステップと
を更に有する、請求項１に記載の方法。
【請求項１１】
前記温熱療法適応放射線療法計画は、分別される放射線療法計画を含む、請求項1乃至１０の何れか一項に記載の方法。
【請求項１２】
前記温熱療法適応放射線療法計画は、低分化放射線療法計画を含む、請求項1乃至１０の何れか一項に記載の方法。
【請求項１３】
熱増感比に基づいて、前記関心組織のための温熱療法適応放射線療法計画を生成するように構成される放射線治療計画器と、
前記温熱療法適応放射線療法計画に従って放射線を送達するように構成される放射線療法システムと、
温熱療法熱計画に従って熱を送達するように構成される温熱療法熱送達システムと
を有する、システム。
【請求項１４】
前記放射線療法システムは、前記温熱療法熱送達システムが前記熱を送達した後に前記放射線を送達するように構成され、
温度及び熱送達持続時間を監視するように構成される温熱療法温度及び持続時間監視システム
を更に有し、
前記放射線治療計画器は、前記熱が前記関心組織に送達される前に非温熱療法放射線療法計画を生成し、前記関心組織の温度及び前記熱送達の持続時間を監視し、前記関心組織の前記温度及び前記熱送達の前記持続時間に基づいて前記熱増感比を決定し、前記熱増感比及び前記関心組織に基づいて前記非温熱療法放射線療法計画を適応することによって前記温熱療法適応放射線療法計画を生成する、
請求項１３に記載のシステム。
【請求項１５】
前記放射線療法システムは、前記温熱療法熱送達システムが前記熱を送達した後に前記放射線を送達するように構成され、
温度及び熱送達持続時間を監視するように構成される温熱療法温度及び持続時間監視システム
を更に有し、
前記放射線治療計画器は、前記関心組織の前記温度及び前記熱送達の前記持続時間に基づいて前記熱増感比を決定し、前記熱増感比及び前記関心組織に基づいて前記温熱療法適応放射線療法計画を生成する、
請求項１３に記載のシステム。
【請求項１６】
前記放射線療法システムは、前記熱を送達する前記温熱療法熱送達システムと同時に前記放射線を送達するように構成され、前記放射線治療計画器は、非温熱療法放射線療法計画を生成し、前記関心組織の計画される温度及び前記熱送達の計画される持続時間に基づいて前記熱増感比を生成し、前記熱増感比及び前記関心組織に基づいて前記非温熱療法放射線療法計画を適応することによって前記温熱療法適応放射線療法計画を生成する、
請求項１３に記載のシステム。
【請求項１７】
前記放射線療法システムは、前記熱を送達する前記温熱療法熱送達システムと同時に前記放射線を送達するように構成され、
温度及び熱送達持続時間を監視するように構成される温熱療法温度及び持続時間監視システム
を更に有し、
前記放射線治療計画器は、前記監視される温度と前記計画される温度とを比較し、前記監視される温度と前記計画される温度との間の偏差に基づいて、送達されるHTパターンを決定し、前記送達されるHTパターンに基づいて第2の熱増感比を決定し、前記第2の熱増感比及び前記関心組織に基づいて、第2の温熱療法適応放射線療法計画を生成し、前記放射線療法システムは、前記第2の温熱療法適応放射線療法計画に従って放射線を送達するように構成され、前記温熱療法熱送達システムは、前記第2の温熱療法熱計画に従って熱を送達するように構成される、
請求項１６に記載のシステム。
【請求項１８】
前記放射線治療計画器は、前記関心組織のための非温熱療法放射線療法計画を生成するように構成され、前記放射線療法システムは、前記非温熱療法放射線療法計画に従って放射線を送達するように構成され、
前記関心組織の動きを監視するように構成される運動モニタと、
前記関心組織に適用される適用放射線量を決定するように構成される放射線量決定器と
を更に有し、
前記放射線療法システムは、前記非温熱療法放射線療法計画において計画される線量から逸脱する前記適用放射線量に応じて、前記関心組織のための前記温熱療法熱計画を生成するように構成され、前記温熱療法熱送達システムは、さらなる放射線の前記送達の前に前記温熱療法計画に従って熱を送達するように構成される、
請求項１３に記載のシステム。
【請求項１９】
コンピュータ実行可能な命令で符号化される非一時的コンピュータ可読媒体であって、プロセッサによって実行されるとき、前記プロセッサに、
関心組織のための温熱療法熱計画を生成させ、
熱増感比に基づいて前記関心組織のための温熱療法適応放射線療法計画を生成させ、
前記温熱療法熱計画に従って前記関心組織に熱を送達するように熱源を制御させ、
前記温熱療法適応放射線療法計画に従って前記関心組織に放射線を送達するように放射線療法システムの放射線源を制御させる、
非一時的コンピュータ可読媒体。
【請求項２０】
前記コンピュータ実行可能命令は、前記プロセッサによって実行されるとき、前記プロセッサに、
非温熱療法放射線療法計画を作成させ、
前記関心組織の温度及び前記熱送達の持続時間を監視させ、
前記関心組織の前記温度及び前記熱送達の前記持続時間に基づいて前記熱増感比を決定させ、
前記熱増感比及び前記関心組織に基づいて前記非温熱療法放射線療法計画を適応することによって前記温熱療法適応放射線療法計画を生成させる、
請求項１９に記載の非一時的コンピュータ可読媒体。
【請求項２１】
前記コンピュータ実行可能命令は、前記プロセッサによって実行されるとき、前記プロセッサに、
前記関心組織の温度及び前記熱送達の持続時間を監視させ、
前記関心組織の前記温度及び前記熱送達の前記持続時間に基づいて前記熱増感比を決定させ、
前記熱増感比及び前記関心組織に基づいて前記温熱療法適応放射線療法計画を生成させる、
請求項１９に記載の非一時的コンピュータ可読媒体。
【請求項２２】
前記コンピュータ実行可能命令は、前記プロセッサによって実行されるとき、前記プロセッサに、
非温熱療法放射線療法計画を作成させ、
前記温熱療法熱計画における熱送達の計画される温度及び計画される持続時間に基づいて前記熱増感比を決定させ、
前記熱増感比及び前記関心組織に基づいて前記非温熱療法放射線療法計画を適応することによって前記温熱療法適応放射線療法計画を生成させる、
請求項１９に記載の非一時的コンピュータ可読媒体。
【請求項２３】
前記コンピュータ実行可能命令は、前記プロセッサによって実行されるとき、前記プロセッサに、
前記関心組織の温度及び熱送達中の前記熱送達の持続時間を監視させ、
前記監視される温度と前記計画される温度とを比較させ、
前記監視される温度と前記計画される温度との間の偏差に基づいて送達されるHTパターンを決定させ、
前記送達されるHTパターンに基づいて第2の熱増感比を決定させ、
前記第2の熱増感比及び前記関心組織に基づいて第2の温熱療法適応放射線療法計画を生成させ、
前記第2の温熱療法熱計画に従って前記関心組織に熱を送達するように前記熱源を制御させ、
前記第2の温熱療法適応放射線療法計画に従って前記関心組織に放射線を送達するように前記放射線療法システムの前記放射線源を制御させる、
請求項２２に記載の非一時的コンピュータ可読媒体。
【請求項２４】
前記コンピュータ実行可能命令は、前記プロセッサによって実行されるとき、前記プロセッサに、
非温熱療法放射線療法計画を作成させ、
非温熱療法放射線療法計画に従って前記関心組織に放射線を送達するように前記放射線療法システムの前記放射線源を制御させ、
前記関心組織の動きを監視させ、
前記関心組織に適用される放射線量を監視させ、
前記非温熱療法放射線療法計画で計画される線量から逸脱する前記適用される放射線量に応じて前記関心組織のための前記温熱療法熱計画を生成させ、
前記温熱療法熱計画に従って前記関心組織に熱を送達するように前記熱源を制御させる、
請求項１９に記載の非一時的コンピュータ可読媒体。